(57)【特許請求の範囲】
【請求項１】
座部（１）を前座部（２）と後座部（３）に分割構造とし、かつ、上記前座部（２）を昇降させるための前昇降手段（20）と、上記後座部（３）を昇降させるための後昇降手段（30）と、を設け、
上記後座部（３）は、上記前座部（２）に上方から当接可能な上当り部（38ａ）を有し、
上記前座部（２）は、上記上当り部（38ａ）に下方から当接可能な下当り部（28ｂ）を有し、
上記上当り部（38ａ）と上記下当り部（28ｂ）とをもって、上記後座部（３）と上記前座部（２）を部分的に上下重ね自在とし、
上記前昇降手段（20）は、上記前座部（２）を上昇させるための前用単動シリンダ（21）と、上記前座部（２）を常時下方へ弾発付勢する前用引張バネ（22）と、を備え、
上記後昇降手段（30）は、上記後座部（３）を上昇させるための後用単動シリンダ（31）と、上記後座部（３）を常時下方へ弾発付勢する後用引張バネ（32）と、を備え、
上記後用引張バネ（32）の引張力を、上記前用引張バネ（22）の引張力よりも強く設定したことを特徴とする理美容椅子。
【請求項２】
上記後用単動シリンダ（31）と上記後用引張バネ（32）とは、平面的に見て、左右一方に偏在させ、かつ、上記後用単動シリンダ（31）よりも上記後用引張バネ（32）を側外方に配設した請求項１記載の理美容椅子。
【請求項３】
上記前用単動シリンダ（21）と上記前用引張バネ（22）とは、平面的に見て、上記前座部（２）の取付板（28）の前方に偏在させ、かつ、上記前用単動シリンダ（21）よりも上記前用引張バネ（22）を前方に配設した請求項１又は２記載の理美容椅子。
【発明の詳細な説明】
【技術分野】
【０００１】
本発明は、理美容椅子に関する。
【背景技術】
【０００２】
従来、理美容椅子の座部を、前座部と後座部に分割構造とし、後座部のみを上昇させて、幼児や児童等の子供の頭部が、椅子の背もたれ上縁部よりも上方位置となるように、座部を形成するものが公知である。
【先行技術文献】
【特許文献】
【０００３】
【特許文献１】特公平７−６１２９５号公報
【発明の概要】
【発明が解決しようとする課題】
【０００４】
しかし、座高の低い大人の頭部を椅子背もたれ上縁部よりも突出させるためや、ロングヘアの大人の頭部を、椅子背もたれ上縁部から大きく突出させるために、後座部のみ上昇させると、狭くて姿勢が不安定になるといった問題があった。
【０００５】
そこで、本発明は、様々な体格や髪型の着席者に合わせて前座部と後座部の高さを変更できると共に、前座部と後座部をスムーズに安定して昇降させることが可能な理美容椅子の提供を目的とする。
【課題を解決するための手段】
【０００６】
上記目的を達成するために、本発明の理美容椅子は、座部を前座部と後座部に分割構造とし、かつ、上記前座部を昇降させるための前昇降手段と、上記後座部を昇降させるための後昇降手段と、を設け、上記後座部は、上記前座部に上方から当接可能な上当り部を有し、上記前座部は、上記上当り部に下方から当接可能な下当り部を有し、上記上当り部と上記下当り部とをもって、上記後座部と上記前座部を部分的に上下重ね自在とし、上記前昇降手段は、上記前座部を上昇させるための前用単動シリンダと、上記前座部を常時下方へ弾発付勢する前用引張バネと、を備え、上記後昇降手段は、上記後座部を上昇させるための後用単動シリンダと、上記後座部を常時下方へ弾発付勢する後用引張バネと、を備え、上記後用引張バネの引張力を、上記前用引張バネの引張力よりも強く設定したものである。
また、上記後用単動シリンダと上記後用引張バネとは、平面的に見て、左右一方に偏在させ、かつ、上記後用単動シリンダよりも上記後用引張バネを側外方に配設したものである。
また、上記前用単動シリンダと上記前用引張バネとは、平面的に見て、上記前座部の取付板の前方に偏在させ、かつ、上記前用単動シリンダよりも上記前用引張バネを前方に配設したものである。
【発明の効果】
【０００７】
本発明によれば、様々な体格や髪型の着席者に合わせて前座部と後座部の高さを変更できると共に、前座部と後座部をスムーズに安定して昇降させることができる。前座部と後座部とを一体状に昇降させることができ、広い座部をもって、スムーズかつ安定して昇降させることができる。様々な体格や髪型の人物に合わせて、座部を容易かつ迅速に変更できる。
【図面の簡単な説明】
【０００８】
【図１】本発明の理美容椅子の実施の一形態を示し、前座部及び後座部の基準状態の左側面図である。
【図２】前座部及び後座部の基準状態の右側面図である。
【図３】要部平面図である。
【図４】図１のＡ−Ａ要部断面図である。
【図５】前座部及び後座部の上昇状態の左側面図である。
【図６】後座部上昇状態の左側面図である。
【発明を実施するための形態】
【０００９】
以下、図示の実施形態に基づき本発明を詳説する。
本発明に係る理美容椅子は、図１及び図２に示すように、座部１と背もたれ部５とステップ部６とを有するイス本体７と、イス本体７を昇降自在に下方から支持する基台部８と、を備えている。
【００１０】
座部１を、前座部２と後座部３に分離構造とし、かつ、前座部２を昇降させるための前昇降手段20と、後座部３を昇降させるための後昇降手段30と、を設けている。
【００１１】
前座部２は、座面を形成する前シート部（前クッション部）29と、前シート部29が上面側に固着する取付板28（以下、前用取付板28と呼ぶ場合もある）と、を備えている。
前用取付板28の後縁部の一部（又は全部）をもって、後座部３に下方から当接可能な下当り部28ｂを形成している。
【００１２】
後座部３は、座面を形成する後シート部（後クッション部）39と、後シート部39が上面側に固着する取付板38（以下、後用取付板38）と呼ぶ場合もある）と、を備えている。
後用取付板38の前縁部（の一部又は全部）をもって、前座部２の下当り部28ｂに上方から当接可能な上当り部38ａを形成している。
【００１３】
座部１の前後中間位置で、前座部２の下当り部28ｂと、後座部３の上当り部38ａと、を平面的に見てラップさせて配設し、前座部２と後座部３を部分的に上下重ね自在（側面視で、上下積層状態と上下離間状態とに変更可能）としている。
【００１４】
前昇降手段20は、前座部２を上昇させるための油圧式の前用単動シリンダ21（以下、前シリンダ21と呼ぶ場合もある）と、前座部２を常時下方へ弾発付勢するコイルバネから成る前用引張バネ22（以下、前バネ22と呼ぶ場合もある）と、を備え、前座部２を上下直線運動にて昇降させる。
【００１５】
後昇降手段30は、後座部３を上昇させるための油圧式の後用単動シリンダ31（以下、後シリンダ31と呼ぶ場合もある）と、後座部３を常時下方へ弾発付勢するコイルバネから成る後用引張バネ32（以下、後バネ32と呼ぶ場合もある）と、を備え、後座部３を上下直線運動にて昇降させる。
さらに、後バネ32の引張力は、前バネ22の引張力よりも強く設定している。
【００１６】
また、前シリンダ21と後シリンダ31は、同性能のものである（同規格のものであって、呼び圧力や、シリンダ内径、ロッド21ａ，31ａへの負荷が同じ場合の伸長速度や押圧力、が同じである）。
また、図示省略するが、前シリンダ21及び後シリンダ31を作動させるための油圧回路は、前・後シリンダ21，31の両方に、作動油を供給する際、作動油の圧力や時間あたりの流量が同じになるように設けている。また、前シリンダ21のみに、或いは、後シリンダ31のみに、作動油を供給させて、伸長状態を保持することが可能なように設けている。
【００１７】
前シリンダ21のロッド21ａ（以下、前ロッド21ａと呼ぶ場合もある）の上部は、前用取付板28に取着されている。
前バネ22は、上端部が前用取付板28に取着され、下端部が前シリンダ21のシリンダチューブ21ｂ（以下、前チューブ21ｂと呼ぶ場合もある）の下端部から前方へ突出させた前方突出部21ｇに取着している。
【００１８】
後シリンダ31のロッド31ａ（以下、後ロッド31ａと呼ぶ場合もある）の上部は、後用取付板38に取着されている。
後バネ32は、上端部が後用取付板38に取着され、下端部が後シリンダ31のシリンダチューブ31ｂ（以下、後チューブ31ｂと呼ぶ場合もある）の下端部から左右外方（左右一方側）へ突出させた側方突出部31ｇに取着している。
【００１９】
そして、図３に示すように平面的に見て、前シリンダ21と前バネ22とは、前用取付板28の前方に偏在させ、かつ、前シリンダ21よりも前バネ22を前方に配設している。
また、前シリンダ21と前バネ22とは左右方向位置を一致させている。
さらに、後シリンダ31と後バネ32とは、後用取付板38の左右一方に偏在させ、かつ、後シリンダ31よりも後バネ32を側外方（左右一方側）に配設している。
また、後シリンダ31と後バネ32とは前後方向位置を一致させている。
【００２０】
ここで、図１及び図２に示すように、基台部８は、床面設置盤81と、床面設置盤81に立設されると共にイス本体７を昇降させるためのメインシリンダ82と、を備えている。
そして、イス本体７は、メインシリンダ82のロッド82ａの上部が取着される板状の昇降ベース部材70を備えている。
【００２１】
昇降ベース部材70に、前チューブ21ｂの上部と、後チューブ31ｂの上部と、を固着して、垂設している。
昇降ベース部材70は、上面側に前座部２及び後座部３が配設され、後部に背もたれ部５が水平状軸心廻りに揺動自在に枢着され、前部にステップ部６が取着している。
【００２２】
また、前座部２を上下直線状に昇降させるための前用ガイド手段を備えている。
前用ガイド手段は、前用取付板28から垂設された丸棒状の前用ガイド棒27と、昇降ベース部材70に貫設され前用ガイド棒27が（摺接しつつ）挿通可能な前用ガイド孔と、から成る。前用ガイド棒27は前用取付板28の前方に偏在させている（図３参照）。
【００２３】
また、後座部３を上下直線状に昇降させるための後用ガイド手段を備えている。
後用ガイド手段は、後用取付板38から垂設された丸棒状の後用ガイド棒37と、昇降ベース部材70に貫設され後用ガイド棒37が（摺接しつつ）挿通可能な後用ガイド孔と、から成る。後用ガイド棒37は、後用取付板38の左右一方に偏在させている（図３参照）。
【００２４】
また、イス本体７を、メインシリンダ82の鉛直状軸心Ｌａ廻りに回転可能に設けている。
メインシリンダ82のシリンダチューブ82ｂ（以下、メインチューブ82ｂと呼ぶ場合がある）を床面設置盤81に固着し、メインシリンダ82のロッド82ａを鉛直状軸心Ｌａ廻りに回転自在、或いは、メインシリンダ82のロッド82ａと昇降ベース部材70の間にスラストベアリング等の摺接部材を介装して鉛直状軸心Ｌａ廻りに回転自在としている。
【００２５】
そして、イス本体７が鉛直状軸心Ｌａ廻りに回転するのを阻止するロック手段（ブレーキ手段）80を備えている。
図４に示すように、ロック手段80は、メインチューブ82ｂに鉛直状軸心Ｌａ廻りに回転自在に取着すると共に前シリンダ21の下部を上下スライド自在に保持する支持部材83と、支持部材83に固着され水平状にロッド84ａが伸縮する油圧単動式のブレーキシリンダ84と、メインチューブ82ｂを外嵌状に把持するためのＣ字状部85ｃを有するブレーキ金具85と、支持部材83から突設されると共にブレーキ金具85の回り止めを行うためのストッパ部材86と、を備えている。
なお、図４に於て、前バネ22と後バネ32と後シリンダ31は図示省略している。
【００２６】
ブレーキ金具85は、Ｃ字状部85ｃと、Ｃ字状部85ｃの切れ目を形成する一端部からラジアル方向に突出する押圧受け部85ａと、Ｃ字状部85ｃの切れ目を形成する他端部からラジアル方向に突出してストッパ部材86に当接する回り止め部85ｂと、を有し、Ｃ字状部85ｃの切れ目が閉じる方向に弾性変形して、Ｃ字状部85ｃの内周面85ｄがメインチューブ82ｂの外周面82ｄに圧接することで、ブレーキ力を発揮するように構成したものである。
【００２７】
また、支持部材83は、前端縁部から切り欠いた切欠部83ｅと、切欠部83ｅに近傍に設けた左右一対のシリンダ保持金具83ｆ，83ｆと、を有し、平面視で、前チューブ21ｂの後半部を切欠部83ｅ内に配設し、シリンダ保持金具83ｆ，83ｆで前チューブ21ｂを上下スライド自在に保持して、前チューブ21ｂの前方上傾状の倒れや、左右方向への倒れを防止して、イス本体７のぐらつきを防止している。
つまり、前チューブ21ｂを、イス本体７のぐらつき（振れ）を防止するための補強部材として併用している。
【００２８】
ロック（ブレーキ）手段80は、ブレーキシリンダ84のロッド84ａが押圧受け部85ａを押圧すると、回り止め部85ｂがストッパ部材86に当接して鉛直状軸心Ｌａ廻りの回転が阻止され、ブレーキシリンダ84の押圧力によってＣ字状部85ｃの切れ目が閉じるように弾性変形して、Ｃ字状部85ｃがメインチューブ82ｂを外嵌（Ｃ字）状に把持して、ブレーキ力を発揮し、ブレーキシリンダ84のシリンダチューブ84ｂが固着している支持部材83が、鉛直状軸心Ｌａ廻りに回転不可能となることで、前シリンダ21の鉛直状軸心Ｌａ周りの公転運動が阻止され、イス本体７の鉛直状軸心Ｌａ廻りの回転を阻止するように構成している。
つまり、前チューブ21ｂを、イス本体７の回転止め部材として併用している。
また、電磁弁Ｄの切換えによってブレーキシリンダ84を短縮可能状態とすると、ブレーキ金具85のＣ字状部85ｃの弾性的復元力によってＣ字状部85ｃの切れ目が開いて、ブレーキが解除されるように構成したものである。
【００２９】
また、図１及び図２に示すように、昇降ベース部材70の下面側には、油圧モータＭと油圧用タンクＴと油圧回路用の電磁弁Ｄと、図示省略の油圧用配管と、電気配線等を取着している。なお、図１及び図５と図６において電磁弁Ｄを図示省略している。
油圧モータＭと油圧用タンクＴと電磁弁Ｄとを、床面設置盤81内部に設ける場合に比べて、設置盤81をコンパクトにでき、散髪や毛染め等を行う美容師や理容師等の施術者の足下が広くなる。
【００３０】
次に、本発明の理美容椅子の使用方法（作用）について説明する。
図１に示すように、前座部２と後座部３が降下位置（低位置）にある基準状態から、図５に示すように、大人のロングヘアのカット等、背もたれ部５の上縁部５ａよりも、着席者の頭部を、大きく突出させるために、前座部２及び後座部３の両方を上昇させる場合は、前シリンダ21及び後シリンダ31に作動油を供給して伸長させる。すると、後バネ32の引張力が前バネ22の引張力よりも強く、着席者の荷重も後座部３へ大きく係るので、前シリンダ21に比べて後シリンダ32に係る負荷が大きく、前座部２よりも後座部３が速く上昇することは無くなる。また、前座部２の下当り部28ｂが、後座部３の上当り部38ａに当接することで、前座部２が後座部３よりも早く上昇するのを防止する。したがって、前座部２と後座部３が一体状に（一緒）に上昇し、着席者は、前座部２と後座部３の両方の広い座面をもって安定して上昇する。しかも、着席者が居なくても後バネ32の引張力が前バネ22の引張力よりも強いため、前座部２と後座部３が一体状に上昇する。
【００３１】
また、図５の前座部２及び後座部３の上昇状態から、降下させる場合は、前シリンダ21及び後シリンダ31内の作動油が油圧用タンクＴに戻るように電磁弁Ｄを切り換える。
すると、後バネ32の引張力が前バネ22の引張力よりも強く、着席者の荷重も後座部３へ大きく係るので、前シリンダ21に比べて後シリンダ31に係る負荷が大きく、前座部２よりも後座部３が速く降下しようとするが、後座部３の上当り部38ａが前座部２の下当り部28ｂに当接することで、後座部３が前座部２よりも早く降下するのを防止する。したがって、前座部２と後座部３が一体状に（一緒）に降下し、着席者は、前座部２と後座部３の両方の広い座面をもって安定して降下する。しかも、着席者が居なくても後バネ32の引張力が前バネ22の引張力よりも強いため、前座部２と後座部３が一体状に降下する。
このように、背もたれ部５の上縁部５ａに対して、前座部２と後座部３の高さ位置を安定して変更でき、様々な座高や髪型の大人が着席するのに適した座部１の高さに変更できる。
【００３２】
また、降下させる際に、前用取付板28の後部に後座部３からの下方への力が作用するため、前用取付板28が僅かに後方へおじぎするような後方下傾状になろうとするが、前バネ22を前シリンダ21よりも前方に設けて下方へ引っ張っているため、前用取付板28を水平状に保持でき、安定して、着席者を降下させることができる。つまり、前バネ22が無いと、前用取付板28が後方下傾状となって、前ロッド21ａにこぜが生じてスムーズな降下ができなくなる虞れがある。
【００３３】
また、後シリンダ31を左右一方側へ偏在させているため、昇降させる際に、後用取付板38が左右他方側下傾状になろうとするが、後バネ32を後シリンダ31よりも左右一方側へ設けて下方へ引っ張っているため、後用取付板38を水平状に保持でき、安定して、着席者を降下させることができる。
また、大型のメインシリンダ82を、イス本体７の前後左右の中心（重心）に寄せて配設できる。
また、前バネ22及び後バネ32の長さを、十分に長くかつバネ外径を大きくすることができ、十分な引張力を発揮すると共に、伸縮長の変化による引張り力のバラツキも軽減でき、安定かつスムーズな昇降を実現できる。
【００３４】
そして、幼児や児童等の子供の場合は、基準状態（図１参照）から、後シリンダ31のみに作動油を供給して作用させる。図６に示すように、上当り部38ａと下当り28ｂとを離間させ（上下の重なりを解除し）後座部３のみを上昇させて、保持させる。前座部２は、子供用の足置きとなり、子供の足がふらつかず、姿勢が安定する。
図示省略するが、後座部３を所望の位置で停止させた後、前シリンダ21に作動油を供給して前座部２を上昇させて、前座部２を子供用のフットレストとして使用するも良い。
このように、後座部３を上昇させた後であれば、前座部２の昇降は自由に行える。
【００３５】
なお、本発明は、設計変更可能であって、前シート部29及び後シート部39の形状は自由である。油圧モータＭと油圧用タンクＴと電磁弁Ｄとを、床面設置盤81内部に設けても良い。
【００３６】
以上のように、本発明の理美容椅子は、座部１を前座部２と後座部３に分割構造とし、かつ、前座部２を昇降させるための前昇降手段20と、後座部３を昇降させるための後昇降手段30と、を設け、後座部３は、前座部２に上方から当接可能な上当り部38ａを有し、前座部２は、上当り部38ａに下方から当接可能な下当り部28ｂを有し、上当り部38ａと下当り部28ｂとをもって、後座部３と前座部２を部分的に上下重ね自在とし、前昇降手段20は、前座部２を上昇させるための前用単動シリンダ21と、前座部２を常時下方へ弾発付勢する前用引張バネ22と、を備え、後昇降手段30は、後座部３を上昇させるための後用単動シリンダ31と、後座部３を常時下方へ弾発付勢する後用引張バネ32と、を備え、後用引張バネ32の引張力を、前用引張バネ22の引張力よりも強く設定したので、様々な体格や髪型の着席者に合わせて前座部２と後座部３の高さを変更できると共に、前座部２と後座部３をスムーズに安定して昇降させることができる。前座部２と後座部３とを、一体状に昇降させることができ、広い座部１をもって、スムーズかつ安定して昇降させることができる。様々な体格や髪型の人物に合わせて、座部１を容易かつ迅速に変更できる。前座部２が後座部３を追い越して上昇することを確実に防止できる。
【００３７】
また、後用単動シリンダ31と後用引張バネ32とは、平面的に見て、左右一方に偏在させ、かつ、後用単動シリンダ31よりも後用引張バネ32を側外方に配設したので、後座部３を適切な姿勢（後用取付板38を水平状に）保持でき、後ロッド31ａに、こぜを生じさせることなくスムーズかつ安定して昇降させることができる。後バネ32を十分に長くかつバネ外径を大きくすることができ、十分な引張力を発揮すると共に、伸縮長の変化による引張り力のバラツキも軽減できる。また、大型のメインシリンダ82を、イス本体７の前後左右の中心（重心）に寄せて配設できる。
【００３８】
また、前用単動シリンダ21と前用引張バネ22とは、平面的に見て、前座部２の取付板28の前方に偏在させ、かつ、前用単動シリンダ21よりも前用引張バネ22を前方に配設したので、前座部２を適切な姿勢（前用取付板28を水平状に）保持でき、前ロッド21ａに、こぜを生じさせることなくスムーズかつ安定して昇降させることができる。前バネ22を十分に長くかつバネ外径を大きくすることができ、十分な引張力を発揮すると共に、伸縮長の変化による引張り力のバラツキも軽減できる。また、大型のメインシリンダ82を、イス本体７の前後左右の中心（重心）に寄せて配設できる。
【符号の説明】
【００３９】
１  座部
２  前座部
３  後座部
20  前昇降手段
21  前用単動シリンダ
22  前用引張バネ
28  取付板
28ｂ  下当り部
30  後昇降手段
31  後用単動シリンダ
32  後用引張バネ
38ａ  上当り部
【図１】
0006290733.tif 000002
【図２】
0006290733.tif 000003
【図３】
0006290733.tif 000004
【図４】
0006290733.tif 000005
【図５】
0006290733.tif 000006
【図６】
0006290733.tif 000007